【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
昇圧した電圧を出力するための電源回路であって、
第１の電圧を基準に第２の電圧を昇圧した昇圧電圧を生成する昇圧回路と、
前記昇圧電圧の電位を制限するリミッタ回路とを含み、
前記リミッタ回路が、
前記昇圧電圧が所与のターゲット電圧になるように前記第２の電圧が供給される電源線に電荷を放電、又は該電源線から電荷を充電することを特徴とする電源回路。
【請求項２】
請求項１において、
所与の入力電圧の電位を調整するレギュレータを含み、
電気光学装置の駆動電圧が、前記昇圧電圧に基づいて生成される場合に、
高負荷表示モードで前記電気光学装置が駆動されるときには、前記昇圧電圧の電位を前記リミッタ回路で制限した電圧を前記昇圧電圧として出力し、
低負荷表示モードで前記電気光学装置が駆動されるときには、前記レギュレータの出力電圧を前記昇圧回路により昇圧した電圧を、前記リミッタ回路で制限することなくそのまま前記昇圧電圧として出力することを特徴とする電源回路。
【請求項３】
請求項２において、
表示モード設定レジスタを含み、
前記表示モード設定レジスタに設定された制御データにより前記高負荷表示モードが指定されたとき、前記昇圧電圧の電位を前記リミッタ回路で制限した電圧を前記昇圧電圧として出力し、
前記表示モード設定レジスタに設定された制御データにより前記低負荷表示モードが指定されたとき、前記レギュレータの出力電圧を前記昇圧回路により昇圧した電圧を前記昇圧電圧として出力することを特徴とする電源回路。
【請求項４】
請求項２又は３において、
前記昇圧回路が、
第１のフライングコンデンサを用いたチャージポンプ動作により、前記第１の電圧を基準に前記レギュレータの出力電圧を昇圧することで前記昇圧電圧を生成するための第１のチャージポンプ回路と、
前記第１のフライングコンデンサより容量値の大きい第２のフライングコンデンサを用いたチャージポンプ動作により、前記第１の電圧を基準に前記第２の電圧を昇圧することで前記昇圧電圧を生成するための第２のチャージポンプ回路とを含み、
前記高負荷表示モードで前記電気光学装置が駆動されるときには、前記第１及び第２のチャージポンプ回路により生成された昇圧電圧、又は前記第２のチャージポンプ回路により生成された昇圧電圧を出力し、
前記低負荷表示モードで前記電気光学装置が駆動されるときには、前記第１のチャージポンプ回路により生成された昇圧電圧を出力することを特徴とする電源回路。
【請求項５】
請求項２乃至４のいずれかにおいて、
前記高負荷表示モードで前記電気光学装置が駆動されるとき、前記電源回路の出力負荷に応じて前記昇圧回路の昇圧能力を変更する制御を行い、
前記低負荷表示モードで前記電気光学装置が駆動されるとき、前記電源回路の出力負荷に応じて前記昇圧回路の昇圧能力を変更する制御を省略することを特徴とする電源回路。
【請求項６】
請求項５において、
前記高負荷表示モードが指定された場合に、
前記電源回路の出力負荷に対して前記昇圧能力が高いと判断されるときには、昇圧能力がより低くなるように該昇圧能力を変更し、
前記出力負荷に対して前記昇圧能力が低いと判断されるときには、昇圧能力がより高くなるように該昇圧能力を変更することを特徴とする電源回路。
【請求項７】
請求項５又は６において、
前記高負荷表示モードが指定された場合に、
前記昇圧回路が、
前記電源回路の出力負荷と、前記リミッタ回路が前記昇圧電圧の電位を制限したか否かを示すリミッタ動作情報とに基づいて、前記昇圧能力を変更することを特徴とする電源回路。
【請求項８】
請求項５乃至７のいずれかにおいて、
前記高負荷表示モードが指定された場合に、
前記昇圧回路が、
前記リミッタ動作情報に基づいて更新される閾値と、前記電源回路の出力負荷との比較結果に応じて、前記昇圧能力を変更することを特徴とする電源回路。
【請求項９】
請求項８において、
前記閾値が、
所与の閾値電圧と前記昇圧電圧との比較結果に基づいて更新されることを特徴とする電源回路。
【請求項１０】
請求項９において、
前記所与の閾値電圧と前記昇圧電圧とを比較するコンパレータと、
前記コンパレータの出力結果であるパルスをカウントするカウンタとを含み、
前記閾値が、
前記カウンタのカウント数に基づいて更新されることを特徴とする電源回路。
【請求項１１】
請求項５乃至１０のいずれかにおいて、
電気光学装置の複数のソース線の各ソース線の階調データに対応した駆動電圧が、前記昇圧電圧に基づいて生成される場合に、
前記出力負荷が、
前記複数のソース線の１走査ライン分の階調データの総和に基づいて評価されることを特徴とする電源回路。
【請求項１２】
電気光学装置を駆動するための表示ドライバであって、
請求項１乃至１１のいずれか記載の電源回路と、
前記電気光学装置を駆動するための駆動部とを含み、
前記昇圧電圧に基づいて、前記駆動部の駆動電圧を生成することを特徴とする表示ドライバ。
【請求項１３】
請求項１２において、
前記駆動部が、
前記昇圧電圧を用いて生成された、階調データに対応した駆動電圧により前記電気光学装置の複数のソース線を駆動することを特徴とする表示ドライバ。
【請求項１４】
複数のゲート線と、
複数のソース線と、
前記複数のゲート線を走査するゲートドライバと、
前記複数のソース線を駆動するソースドライバと、
請求項１乃至１１のいずれか記載の電源回路とを含み、
前記ゲートドライバの走査電圧及び前記ソースドライバの駆動電圧のうち少なくとも１つが、前記昇圧電圧に基づいて生成されることを特徴とする電気光学装置。
【請求項１５】
複数のゲート線と、
複数のソース線と、
前記複数のゲート線を走査するゲートドライバと、
前記複数のソース線を駆動する請求項１３記載の表示ドライバとを含むことを特徴とする電気光学装置。
【請求項１６】
請求項１乃至１１のいずれか記載の電源回路を含むことを特徴とする電子機器。
【請求項１７】
請求項１２又は１３記載の表示ドライバを含むことを特徴とする電子機器。
【請求項１８】
請求項１４又は１５記載の電気光学装置を含むことを特徴とする電子機器。
【手続補正２】
【補正対象書類名】明細書
【補正対象項目名】００９９
【補正方法】変更
【補正の内容】
【００９９】
図１１では、表示パネル１２がノーマリホワイトのパネルについて、電源回路の出力負荷と出力負荷電流との関係を示しており、左側から右側にいくほど出力負荷が高くなる。即ち、パーシャル表示モードで表示パネル１２を駆動するときの電源回路の出力負荷は、通常表示モードで表示パネル１２を駆動するときの電源回路の出力負荷より小さい。
【手続補正３】
【補正対象書類名】明細書
【補正対象項目名】０１７４
【補正方法】変更
【補正の内容】
【０１７４】
ここで、パルスデータＰＬＳＥＴは、閾値データである。例えば、コンパレータＣＭＰ１２は、比較結果パルスに基づいて電圧ＶＯＵＴが所与の閾値電圧（ＶＴＨ＝５．９Ｖ）以下となったことを示す比較結果信号、電圧ＶＯＵＴが所与の閾値電圧（ＶＴＨ＝６．１２Ｖ）以上となったことを示す比較結果信号を出力できる。そして、電圧ＶＯＵＴが所与の閾値電圧（ＶＴＨ＝５．９）以下となったことを示す比較結果信号の（所与のレベルを維持する）幅、パルス幅、又は該比較結果信号が所与のレベルを維持する期間を所与のクロック（例えばドットクロック又はピクセルクロック）を用いて検定した結果が、パルスデータＰＣＮＴ１として入力される。電圧ＶＯＵＴが所与の閾値電圧（ＶＴＨ＝６．１２Ｖ）以上となったことを示す比較結果信号の（所与のレベルを維持する）幅、パルス幅、又は該比較結果信号が所与のレベルを維持する期間を所与のクロック（例えばドットクロック又はピクセルクロック）を用いて検定した結果が、パルスデータＰＣＮＴ２として入力される。パルスデータＰＬＳＥＴと、パルスデータＰＣＮＴ１、ＰＣＮＴ２の各パルスデータとが比較処理される。
【手続補正４】
【補正対象書類名】明細書
【補正対象項目名】０１７６
【補正方法】変更
【補正の内容】
【０１７６】
昇圧能力が低すぎるとリミッタ回路５３が動作しないため、パルスデータＰＣＮＴ１がパルスデータＰＬＳＥＴより小さいと判定されたとき、閾値電圧（ＶＴＨ＝５．９Ｖ）に対応する閾値ＴＨＢをデクリメントする制御を行う。同様に、パルスデータＰＣＮＴ２がパルスデータＰＬＳＥＴより小さいと判定されたとき、閾値電圧（ＶＴＨ＝６．１２Ｖ）に対応する閾値ＴＨＡをデクリメントする制御を行う。